(57)【要約】【課題】遮光用シート材や遮光用ゴム材等を不要して低コスト化を可能にするとともに、発光装置の組立時に正面カバーと背面カバーとの合わせ部に位置ずれが生じても合わせ部からの光漏れを防止する技術を提供する。【解決手段】撮像装置の装置本体１に収納される収納位置と装置本体１から突出した発光位置との間を移動する発光装置２０であって、発光部５と、発光部５を露出させた状態で発光部５の正面側を覆う正面カバー６と、発光部５の背面側を覆い、正面カバー６に組み込まれることで、正面カバー６とともに発光装置２０の外装を形成する背面カバー７と、を備える。正面カバー６及び背面カバー７には、発光部５から正面カバー６と背面カバー７との合わせ部６７ｃに向かう光を反射／拡散させて減光する複数の反射面６ｄ，７ｄ，７ｐ，６ｐ，６ｑ，７ｑ，６ｂが形成されている。【選択図】図６
2017049524.tif 000002
【特許請求の範囲】
【請求項１】
撮像装置の装置本体に収納される収納位置と前記装置本体から突出した発光位置との間を移動する発光装置であって、
発光部と、
前記発光部を露出させた状態で前記発光部の正面側を覆う正面カバーと、
前記発光部の背面側を覆い、前記正面カバーに組み込まれることで、前記正面カバーとともに前記発光装置の外装を形成する背面カバーと、を備え、
前記正面カバー及び前記背面カバーには、前記正面カバーと前記背面カバーとの第１の合わせ部に第１のインロー構造が形成されており、第２の合わせ部には第２のインロー構造が形成されており、前記第１の合わせ部と前記第２の合わせ部とが接続される角部に第３のインロー構造が形成されていることを特徴とする発光装置。
【請求項２】
前記第３のインロー構造は、前記正面カバー及び前記背面カバーの一方にて前記角部の内側に向かって突出形成される凸部と、前記正面カバー及び前記背面カバーの他方にて前記凸部を覆うリブ形状部と、を備えることを特徴とする請求項１に記載の発光装置。
【請求項３】
発光装置を備える撮像装置であって、
前記発光装置として、請求項１又は２に記載の発光装置を備えることを特徴とする撮像装置。
【発明の詳細な説明】
【技術分野】
【０００１】
本発明は、例えばデジタルカメラ等の撮像装置に搭載されるポップアップ式のストロボユニット等の発光装置、及び発光装置を備える撮像装置に関する。
【背景技術】
【０００２】
デジタルカメラ等の撮像装置に搭載される発光装置として、正面カバーと背面カバーにより外装を形成して、内部にキセノン管、フレネルレンズや反射板等の発光部を収納したストロボユニットが知られている。このような発光装置では、発光部からの閃光がレンズユニットに遮られないようにするため、カメラ本体の内部の収納位置とカメラ本体から発光部が突出する発光位置との間で直進移動するポップアップ式のストロボユニットが用いられている。
【０００３】
しかし、正面カバーと背面カバーとの合わせ部がカメラ本体から露出するストロボユニットでは、合わせ部に隙間が生じると、閃光が外部へ漏れることがある。特に夜間における撮影では、わずかな光漏れであっても視認できるため、ユーザに不快感を与える可能性がある。
【０００４】
そこで、正面カバーと背面カバーとの合わせ部に遮光性を有する接着剤を介して遮光用シート材や遮光用ゴム材等を配置して、合わせ部からの光漏れを防止する技術が提案されている（特許文献１）。
【先行技術文献】
【特許文献】
【０００５】
【特許文献１】特開２０１５−２８５２５号公報
【発明の概要】
【発明が解決しようとする課題】
【０００６】
しかし、上記特許文献１では、遮光用シート材や遮光用ゴム材等が必要となるため、部品点数の増加によるコストアップにつながり、また、組立時に正面カバーと背面カバーとの合わせ部に位置ずれが生じると、合わせ部から光漏れが発生するおそれがある。
【０００７】
そこで、本発明は、遮光用シート材や遮光用ゴム材等を不要して低コスト化を可能にするとともに、発光装置の組立時に正面カバーと背面カバーとの合わせ部に位置ずれが生じても合わせ部からの光漏れを防止する技術を提供することを目的とする。
【課題を解決するための手段】
【０００８】
上記目的を達成するために、本発明は、撮像装置の装置本体に収納される収納位置と前記装置本体から突出した発光位置との間を移動する発光装置であって、発光部と、前記発光部を露出させた状態で前記発光部の正面側を覆う正面カバーと、前記発光部の背面側を覆い、前記正面カバーに組み込まれることで、前記正面カバーとともに前記発光装置の外装を形成する背面カバーと、を備え、前記正面カバー及び前記背面カバーには、前記正面カバーと前記背面カバーとの第１の合わせ部に第１のインロー構造が形成されており、第２の合わせ部には第２のインロー構造が形成されており、前記第１の合わせ部と前記第２の合わせ部とが接続される角部に第３のインロー構造が形成されていることを特徴とする。
【発明の効果】
【０００９】
本発明によれば、遮光用シート材や遮光用ゴム材等を不要して低コスト化を可能にするとともに、発光装置の組立時に正面カバーと背面カバーとの合わせ部に位置ずれが生じても合わせ部からの光漏れを防止することができる。
【図面の簡単な説明】
【００１０】
【図１】（ａ）は本発明の発光装置の実施形態の一例であるポップアップ式のストロボユニットを搭載したデジタルカメラを正面側から見た図、（ｂ）は（ａ）に示すデジタルカメラの背面図、（ｃ）は右側面図、（ｄ）は左側面図である。
【図２】ストロボユニットの分解斜視図である。
【図３】（ａ）は背面カバーを取り除いた状態のストロボユニットの背面図、（ｂ）は背面カバーを取り除いた状態のストロボユニットの背面側斜視図である。
【図４】（ａ）は背面カバーの背面図、（ｂ）は背面カバーの上面図、（ｃ）は背面カバーを正面側から見た斜視図である。
【図５】（ａ）はストロボユニットの正面図、（ｂ）は（ａ）のＡ−Ａ線断面図、（ｃ）は（ｂ）の部分拡大断面図である。
【図６】（ａ）は図５（ａ）のＢ−Ｂ線断面図、（ｂ）は（ａ）の部分拡大断面図である。
【図７】（ａ）はストロボユニットを背面側から見た図、（ｂ）は（ａ）のＣ−Ｃ線断面図、（ｃ）は（ｂ）の部分拡大断面図である。
【図８】図７（ｃ）のＤ−Ｄ線断面図である。
【発明を実施するための形態】
【００１１】
以下、図面を参照して、本発明の実施形態の一例を説明する。
【００１２】
図１（ａ）は本発明の発光装置の実施形態の一例であるポップアップ式のストロボユニットを搭載したデジタルカメラを正面側（被写体側）から見た図、図１（ｂ）は図１（ａ）に示すデジタルカメラの背面図である。図１（ｃ）は図１（ａ）に示すデジタルカメラの右側面図、図１（ｄ）は図１（ａ）に示すデジタルカメラの左側面図である。なお、本実施形態では、撮像装置として、コンパクトタイプのデジタルカメラを例示するが、これに限定されない。
【００１３】
図１に示すデジタルカメラは、カメラ本体１の正面側に、レンズユニット２が一体に設けられ、カメラ本体１の上面部には、レリーズボタン３、及びポップアップ式のストロボユニット２０等が設けられている。カメラ本体１の外装カバー４の内部には、不図示の撮像素子や制御基板などの内部構造物が設けられている。カメラ本体１の背面部には、ＬＣＤ等の表示ユニット９が設けられ、表示ユニット９の側部には、各種操作ボタン群８が設けられている。カメラ本体１は、本発明の装置本体の一例に相当する。
【００１４】
ストロボユニット２０は、発光部５、正面カバー６、及び背面カバー７を備える。正面カバー６には、開口部が形成され、開口部には、発光部５が露出している。カメラ本体１を正面側から見て右側の側面には、ストロボユニット２０の発光部５をポップアップさせるための操作レバー１０が設けられている。操作レバー１０を操作することで、ストロボユニット２０をカメラ本体１の内部の収納位置から図１に示すカメラ本体１の上面部から発光部５が突出する発光位置へと直進移動させる。
【００１５】
ストロボユニット２０の収納状態では、ストロボユニット２０は、不図示のバネにより発光位置（上方）に向けて付勢された状態で不図示のロック手段によりロックされている。そして、操作レバー１０の操作により、ロックが解除されて、ストロボユニット２０は、バネの付勢力により発光位置まで直進移動する。なお、ストロボユニット２０の詳細については、後述する。
【００１６】
次に、図２を参照して、ストロボユニット２０について説明する。図２は、ストロボユニット２０の分解斜視図である。前述したように、ストロボユニット２０は、発光部５、正面カバー６、及び背面カバー７を備える。
【００１７】
発光部５は、図２に示すように、キセノン管１１、フレネルレンズ１２、リフレクタ１３、及びシリコンゴムリング１４を有する。キセノン管１１は、キセノンガスを封入したガラス管の両側に電極が設けられている。フレネルレンズ１２は、キセノン管１１の放電光をカメラの撮影画角内に集光させるためのレンズである。
【００１８】
リフレクタ１３は、放電光を被写体側に反射させて効率的に撮影画角内を照射するための反射部材である。リフレクタ１３は、キセノン管１１に接触した状態で組込まれ、キセノン管１１の放電を開始するトリガー電極としての役割も有している。また、リフレクタ１３は、不図示のトリガーコイルに接続され、キセノン管１１の両極に電圧を印加した状態でトリガーコイルに高電圧を印加することで、キセノン管１１の内部のキセノンガスがイオン化し、発光する仕組みとなっている。シリコンゴムリング１４は、キセノン管１１の両端に装着され、キセノン管１１をリフレクタ１３に押し付ける役割を有する。
【００１９】
正面カバー６は、開口部６ｋを有し、開口部６ｋには、フレネルレンズ１２のレンズ部１２ａが露出する。背面カバー７には、突起部７ｒが設けられており、背面カバー７は、突起部７ｒがリフレクタ１３を押し付けた状態で組込まれる。このとき、フレネルレンズ１２に当接したシリコンゴムリング１４が弾性変形することにより、キセノン管１１がリフレクタ１３に押し付けられる。
【００２０】
次に、図２乃至図４を参照して、正面カバー６と背面カバー７について説明する。図３（ａ）は背面カバー７を取り除いた状態のストロボユニット２０の背面図、図３（ｂ）は背面カバー７を取り除いた状態のストロボユニット２０の背面側斜視図である。
【００２１】
図２及び図３に示すように、正面カバー６は、正面壁６ｈ１、左右両側の側面壁６ｈ２，６ｈ３、及び上面壁６ｈ４によって発光部５を囲うように形成されている。正面壁６ｈ１には、フレネルレンズ１２のレンズ部１２ａが露出する開口部６ｋが形成され、側面壁６ｈ２，６ｈ３は、キセノン管１１の軸方向の左右両端側に配置され、上面壁６ｈ４は、ストロボユニット２０の収納状態でカメラ本体１の上面外観部を形成する。なお、上面壁６ｈ４の背面側の面６ｈ４ａまでが発光部５が発光位置にポップアップした状態でのカメラ本体１の上面外観部となっている。
【００２２】
上部合わせ面６ａは、背面カバー７の上部合わせ面７ａ（図４参照）との合わせ面であり、正面カバー６の背面側で上面壁６ｈ４の裏面側に位置して設けられている。側面合わせ面６ｂ，６ｃは、背面カバー７の側面合わせ面７ｂ，７ｃ（図４参照）との合わせ面であり、側面壁６ｈ２，６ｈ３の正面カバー６の背面側の端面により形成され、上部合わせ面６ａと略垂直な面になっている。
【００２３】
側面合わせ面６ｂ，６ｃには、それぞれ正面カバー６の背面側に突出して図の上下方向に延びるリブ６ｂ１，６ｃ１が形成されている。リブ６ｂ１，６ｃ１の上端は、上部合わせ面６ａに接続され、リブ６ｂ１，６ｃ１の下端は、ストロボユニット２０のポップアップ時にカメラ本体１の上面部から露出しない位置まで延びている。
【００２４】
上面壁６ｈ４の裏面には、凹形状部６ｊが形成され、凹形状部６ｊの底面は、上部合わせ面６ａより上側に位置している。角凸部６ｆは、正面カバー６の側面壁６ｈ２，６ｈ３の裏面６ｄには、それぞれ上面壁６ｈ４の凹形状部６ｊの底面につながる角凸部６ｆが設けられている。角凸部６ｆは、側面合わせ面６ｂと略平行な面６ｆ１と、側面壁６ｈ２，６ｈ３の裏面６ｄと略平行な面６ｆ２と、凹形状部６ｊの底面と略平行な面６ｆ３とを有する。面６ｆ３は、上部合わせ面６ａより下側に配置され、面６ｆ１，６ｆ２は、光軸方向から見て上部合わせ面６ａにまたがって配置されている。また、正面カバー６の背面側には、背面カバー７のボス挿入部７ｔに対応するボス６ｔが設けられている。
【００２５】
図４（ａ）は背面カバー７の背面図、図４（ｂ）は背面カバー７の上面図、図４（ｃ）は背面カバー７を正面側から見た斜視図である。
【００２６】
図４（ａ）に示すように、背面カバー７の背面壁７ｈは、発光部５を覆う。上面合わせ面７ａは、正面カバー６の上面合わせ面６ａに当接または近接する合わせ面である。フランジ部７ａ１は、上面合わせ面６ａから突出して正面カバー６の上面壁６ｈ４の裏面側の凹形状部６ｊに挿入される。側面合わせ面７ｂ，７ｃは、正面カバー６の側面合わせ面６ｂ，６ｃに当接する合わせ面である。
【００２７】
図４（ｂ）に示すように、背面カバー７には、正面カバー６のリブ６ｂ１，６ｃ１が挿入される溝部７ｂ１，７ｃ１が設けられている。リブ７ｂ２，７ｃ２は、正面カバー６の側面壁６ｈ２，６ｈ３の裏面６ｄに近接して対向配置される。
【００２８】
図４（ｂ）及び図４（ｃ）に示すように、リブ７ｃ２は、面７ｆ１，７ｆ２，７ｆ３を有し、面７ｆ１，７ｆ２，７ｆ３は、正面カバー６の面６ｆ１，６ｆ２，６ｆ３に当接もしくは対向する。図４（ｃ）に示すように、リブ７ｂ２，７ｃ２は、フランジ部７ａ１につながるように形成されている。また、ボス挿入部７ｔには、正面カバー６の位置決めボス６ｔが挿入され、これにより、正面カバー６に対して背面カバー７の上下方向の位置が規制される。
【００２９】
図５（ａ）はストロボユニット２０の正面図、図５（ｂ）は図５（ａ）のＡ−Ａ線断面図、図５（ｃ）は図５（ｂ）の部分拡大断面図である。
【００３０】
キセノン管１１が発光すると、リフレクタ１３やフレネルレンズ１２により集光された光は、被写体に向けて照射されるが、それ以外の光は、カバー内部で乱反射して減少されて消失する。
【００３１】
ところで、ストロボ光の光量は強いため、正面カバー６と背面カバー７との合わせ部に僅かでも隙間があると、隙間から光が漏れることになる。よって、従来においては、カバー６，７の成形による寸法のバラつきや組込みズレを考慮すると、カバー６，７の合わせ部近傍でビス締めを行うか接着剤などで封止しない限り、カバー６，７の合わせ部の隙間を無くすことは困難であった。
【００３２】
そこで、本実施形態では、カバー６，７の合わせ部に３つのインロー構造を形成している。これによって、発光部５からカバー６，７の合わせ部の隙間に向かう光の経路において、キセノン管１１で発光した光を壁面で反射／拡散することで減少させた後、狭い隙間を通らせることにより光量を絞ることができる。この光の反射／拡散と光量の絞りとをカバー６，７の合わせ部の隙間に向かう光の経路中で繰り返すことで、人の目では認識しづらい光量まで減少させて光漏れを防止している。
【００３３】
ここで、図５（ｃ）を参照して、キセノン管１１から背面カバー７の上面合わせ面７ａと正面カバー６の上面合わせ面６ａとの上面側合わせ部６７ａに向かう光を拡散して減少させる経路について具体的に説明する。
【００３４】
図５（ｃ）に示すように、背面カバー７のフランジ部７ａ１が、正面カバー６の凹形状部６ｊに入り込むことで、カバー６，７の上面側合わせ部６７ａに上面側インロー構造を形成している。上面側合わせ部６７ａは、第１の合わせ部として機能する。上面側インロー構造は、第１のインロー構造として機能する。
【００３５】
キセノン管１１から上面側合わせ部６７ａに向かう光は、まず、面６ｊに入射して拡散し、これにより、１回目の減光が行われる。その後、面６ｊで拡散した光は、面７ｊと面６ｎに入射して拡散し、これにより、２回目の減光が行われる。次に、面６ｎで拡散した光は、面７ｎと面７ａに入射して拡散し、これにより、３回目の減光が行われる。面７ｎと面７ａは、上面側合わせ部６７ａの隙間からユーザが認識可能な場合もあるが、これらの面７ｎ，７ａでの反射光量は十分に小さいので、上面側合わせ部６７ａからの光漏れを防止することができる。
【００３６】
なお、図５（ｃ）では、説明の便宜上、敢えて面６ｎと面７ｎとの当接部に隙間を設けている。本来、隙間が無い状態で接触することが理想であるが、正面カバー６や背面カバー７の成形時のゆがみや寸法バラツキで隙間が発生した場合を想定して図示している。
【００３７】
次に、図６を参照して、キセノン管１１から正面カバー６の側面合わせ面６ｂ，６ｃと背面カバー７の側面合わせ面７ｂ，７ｃとの側面側合わせ部６７ｂ，６７ｃに向かう光を拡散して減少させる経路について具体的に説明する。図６（ａ）は図５（ａ）のＢ−Ｂ線断面図、図６（ｂ）は図６（ａ）の部分拡大断面図である。なお、側面側合わせ部６７ｂについては、側面側合わせ部６７ｃと同様であるため、キセノン管１１から側面側合わせ部６７ｃに向かう光を拡散して減少させる経路についてのみ説明する。
【００３８】
図６（ｂ）に示すように、正面カバー６のリブ６ｃ１が背面カバー７の溝部７ｂ１，７ｃ１に入り込み、背面カバー７のリブ７ｃ２が側面側合わせ部６７ｃよりも正面カバー６に入り込んでいる。これによって、カバー６，７の側面側合わせ部６７ｃに側面側インロー構造を形成している。側面側合わせ部６７ｃは、第２の合わせ部として機能する。側面側インロー構造は、第２のインロー構造として機能する。
【００３９】
キセノン管１１の放電光は、まず、面６ｄに入射して拡散し、これにより、１回目の減光が行われる。その後、面６ｄで拡散した光は、面７ｄと面７ｐに入射して拡散し、これにより、２回目の減光が行われる。次に、面７ｐで拡散した光は、面７ｑ，６ｐ，６ｑ，６ｂに入射して拡散し、これにより、３回目の減光が行われる。面６ｑと面６ｂは、側面側合わせ部６７ｃの隙間からユーザが認識可能な場合もあるが、これらの面６ｑ，６ｂでの反射光量は十分に小さいので、側面側合わせ部６７ｃからの光漏れを防止することができる。
【００４０】
なお、正面カバー６のリブ６ｂ１，６ｃ１が無い場合、面７ｐと面７ｂが同一面となり、面ｐ７で入射／拡散した光がそのまま外部に放出される。しかし、本実施形態では、リブ６ｂ１，６ｃ１により複数の反射面を追加して光量を十分に減少させて光漏れを防止している。
【００４１】
また、本実施形態では、上面側合わせ部６７ａ上面側インロー構造と側面側インロー構造とが接続される角部には、接続部インロー構造を形成している。本実施形態では、正面カバー６の凹形状部６ｊとリブ６ｂ１、６ｃ１とが接続する角部の内側にそれぞれ突出形成されている角凸部６ｆと、背面カバー７のリブ７ｂ２，７ｃ２によって、接合部インロー構造を形成している。接合部インロー構造は、第３のインロー構造として機能する。角凸部６ｆは、正面カバー６及び背面カバー７の一方にて角部の内側に向かって突出形成される凸部として機能する。リブ７ｂ２，７ｃ２は、正面カバー６及び背面カバー７の他方にて角凸部６ｆを覆うリブ形状部として機能する。本実施形態では、正面カバー６に角凸部６ｆが形成され、背面カバー７にリブ７ｂ２，７ｃ２が形成されているが、正面カバー６にリブ形状が形成され、背面カバー７に凸部が形成されても、同様の作用効果を奏する。これにより、凹形状部６ｊとリブ６ｂ１、６ｃ１とが接合する箇所からの光漏れを防止している。以下、図７及び図８を参照して説明する。
【００４２】
図７（ａ）はストロボユニット２０を背面側から見た図、図７（ｂ）は図７（ａ）のＣ−Ｃ線断面図、図７（ｃ）は図７（ｂ）の部分拡大断面図である。図８は、図７（ｃ）のＤ−Ｄ線断面図である。なお、角部６７ａ１については、角部６７ａ２と同様であるため、キセノン管１１から角部６７ａ２に向かう光を拡散して減少させる経路についてのみ説明する。
【００４３】
図７（ｂ）及び図７（ｃ）に示すように、キセノン管１１の放電光は、面７ｆ２に入射して拡散し、これにより、１回目の減光が行われる。その後、面７ｆ２で拡散した光は、角凸部６ｆの面６ｆ２と面７ｆ１に入射して拡散し、これにより、２回目の減光が行われる。次に、面７ｆ１で拡散した光は、角凸部６ｆの面６ｆ１と面６ｄ１に入射して拡散し、これにより、３回目の減光が行われる。面６ｆ１と面６ｄ１は、角部６７ａ２の隙間からユーザが認識可能な場合もあるが、これらの面６ｆ１，６ｄ１での反射光量は十分に小さいので、角部６７ａ２からの光漏れを防止することができる。
【００４４】
また、図８に示すように、キセノン管１１から面６ｆ１と面７ｆ１との隙間までの光の経路は、面６ｆ３と面７ｆ３との隙間を通る経路もある。この場合、面６ｆ３と面７ｆ３においても対向しているため、通路を絞ることで光量を減少させることができる。また、上述した対向する面のおのおのは曲面であってもよい。
【００４５】
なお、背面カバー７に面７ｆ３を形成せず、正面カバー６の面６ｆ３を下方向に十分に角部６７ａ１から離れるように角凸部６ｆを延長することで、光漏れを防止できる可能性はある。しかし、角凸部６ｆを延長した分、キセノン管１１などの内部部品の配置スペースが十分に取れず、ストロボユニット２０が大型化する懸念がある。
【００４６】
また、角凸部６ｆの面６ｆ１の反対面である面６ｆ４を正面側に延長して、正面壁６ｈ１と接続してもよいが、この場合も上記と同様に、キセノン管１１などの内部部品の配置スペースが十分に取れず、ストロボユニット２０が大型化する懸念がある。
【００４７】
なお、ストロボユニット２０の組立に際しては、正面カバー６の内部に発光部５を装着した後、背面カバー７のフランジ部７ａ１を正面カバー６の上面壁６ｈ４の裏面側の凹形状部６ｊに挿入し、背面カバー７の面７ｎを正面カバー６の面６ｎに当接させる。これにより、シリコンゴムリング１４の反発力を押さえている。
【００４８】
そして、正面カバー６の側面合わせ面６ｂ，６ｃと背面カバー７の側面合わせ面７ｂ，７ｃとの合わせ部６７ｂ，６７ｃを密着させ、ストロボユニット２０がポップアップした状態でも外観には露出しない下側の位置でビス等により固定する。これにより、組込み性が容易でかつ発光部５を確実に固定することが可能である。
【００４９】
以上説明したように、本実施形態では、遮光用シート材や遮光用ゴム材等を不要して低コスト化が可能になる。また、本実施形態では、ストロボユニット２０の組立時に正面カバー６と背面カバー７との合わせ部に位置ずれが生じても合わせ部からの光漏れを防止することができる。
【００５０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５１】
１  カメラ本体
４  外装カバー
５  発光部
６  正面カバー
６ｂ１，６ｃ１  リブ
６ｆ  角凸部
６ｈ１  正面壁
６ｈ２，６ｈ３  側面壁
６ｈ４  上面壁
７  背面カバー
７ａ１  フランジ部
【図１】
2017049524.tif 000003
【図２】
2017049524.tif 000004
【図３】
2017049524.tif 000005
【図４】
2017049524.tif 000006
【図５】
2017049524.tif 000007
【図６】
2017049524.tif 000008
【図７】
2017049524.tif 000009
【図８】
2017049524.tif 000010